(57)【特許請求の範囲】
【請求項１】
電子スコープと、
前記電子スコープが接続され、前記電子スコープにより取得される画像データに所定の画像処理を施す画像処理装置と、
前記画像処理装置で処理された画像データを表示するための表示手段と、
前記画像処理装置の筐体の前面に設けられ、各種操作を行うためのアイコンが表示されるタッチパネルと、
前記画像処理装置に設けられ、前記タッチパネルの入出力を制御し、かつ前記表示手段に表示される前記画像データに基づく画像を前記タッチパネルに表示するタッチパネル制御手段とを備え、
前記画像データに基づく画像が前記タッチパネル及び前記表示手段に同期を取って表示されるとともに、
前記タッチパネル制御手段は、前記タッチパネルの操作に基づいて、前記表示手段に表示される前記画像の任意の領域を拡大表示させるズーミング指定手段を有し、
前記ズーミング指定手段は、前記タッチパネルに表示された前記画像における、前記タッチパネルへのタッチによって位置づけられた領域に相当する前記表示手段に表示される前記画像の所定の領域を、拡大表示させることを特徴とする電子内視鏡システム。
【請求項２】
前記タッチパネル制御手段は、前記タッチパネルに表示された前記画像データに基づく画像の所定の領域をマーキングするマーキング手段を有することを特徴とする請求項１に記載の電子内視鏡システム。
【請求項３】
前記タッチパネル制御手段は、前記タッチパネルの表示の態様を使用者の好みに合わせて変更するカスタマイズ手段を有することを特徴とする請求項１に記載の電子内視鏡システム。
【請求項４】
前記カスタマイズ手段は、前記タッチパネルに表示される文字情報の言語種別を切り替える言語切替手段を有することを特徴とする請求項３に記載の電子内視鏡システム。
【請求項５】
前記カスタマイズ手段は、前記タッチパネルに表示される、入力促進のアイコンのレイアウトを変更するアイコン表示制御手段を有することを特徴とする請求項３に記載の電子内視鏡システム。
【請求項６】
前記カスタマイズ手段は、前記タッチパネルの照度を調節する照度調節手段を有することを特徴とする請求項３に記載の電子内視鏡システム。
【請求項７】
前記タッチパネル制御手段は、前記タッチパネルへの入力に基づいて、前記画像処理装置に接続される周辺機器の動作を制御する周辺機器制御手段を有することを特徴とする請求項１に記載の電子内視鏡システム。
【請求項８】
前記周辺機器制御手段は、前記表示手段に表示される前記画像データの再現性を調節する表示調節手段を有することを特徴とする請求項７に記載の電子内視鏡システム。
【請求項９】
前記周辺機器制御手段は、前記電子スコープの操作部の操作ボタンに割当てられる機能を制御する操作ボタン制御手段を有することを特徴とする請求項７に記載の電子内視鏡システム。
【請求項１０】
前記画像データを格納する画像メモリを備え、
前記画像メモリに格納された画像データが、前記タッチパネル及び表示手段に同期を取って出力表示されることを特徴とする請求項１に記載の電子内視鏡システム。
【発明の詳細な説明】
【技術分野】
【０００１】
本発明は電子内視鏡システムに関する。
【背景技術】
【０００２】
近年、医療現場には、ＣＣＤ（固体撮像素子）が搭載された電子スコープを備えた電子内視鏡システムが導入されている。患者の体内に電子スコープを挿入して体内器官の内壁面が撮影され、その画像は電子スコープが接続された画像処理プロセッサ（画像処理装置）で所定の画像処理が施され、メインモニタに表示される。施術者はメインモニタに映し出された画像を見ながら電子スコープの操作部等を操作し、撮影部分の移動、病変部位に対する施術等を行う。
【０００３】
画像処理プロセッサの筐体の前面にはフロントパネルが設けられており、このフロントパネルには各種操作ボタンが配設されている。操作ボタンを適宜操作することにより、メインモニタの表示状態を調節したり、メインモニタに表示された画像の保存・印刷等の処理が行われる。
【発明の開示】
【発明が解決しようとする課題】
【０００４】
フロントパネルの操作は、メインモニタに表示される手技等の状態を視認しながら行わなければならないため、操作者に負担を強いることとなる。また、電子内視鏡システムによる施術が行われる内視鏡室では、メインモニタを見やすくするため室内の照明を暗くすることが多いが、室内が暗い状況ではフロントパネルが見にくく、操作が困難となる場合がある。このように、画像処理プロセッサのフロントパネルは操作性の面で問題があった。
【０００５】
本発明は、以上の問題を解決するものであり、電子内視鏡システムの操作性を向上させることを目的とする。
【課題を解決するための手段】
【０００６】
本発明に係る電子内視鏡システムは、電子スコープと、電子スコープにより取得される画像データに所定の画像処理を施す画像処理装置と、画像処理措置に接続され、画像処理装置で処理された画像データを表示するための表示手段と、画像処理装置の筐体の前面に設けられ、各種操作を行うためのタッチパネルと、画像処理装置に設けられ、タッチパネルの入出力を制御し、かつ表示手段に表示される画像データに基づく映像をタッチパネルに表示するタッチパネル制御手段とを備えることを特徴とする。
【０００７】
タッチパネル制御手段は、例えば、タッチパネルに表示された画像データに基づく映像の所定の領域をマーキングするマーキング手段を有する。
【０００８】
タッチパネル制御手段は、例えば、タッチパネルの表示の態様を使用者の好みに合わせて変更するカスタマイズ手段を有する。
【０００９】
カスタマイズ手段は、タッチパネルに表示される文字情報の言語種別を切り替える言語切替手段を有していてもよく、タッチパネルに表示される、入力促進のアイコンのレイアウトをアイコン制御手段を有していてもよく、また、タッチパネルの照度を調節する照度調節手段を有していてもよい。
【００１０】
タッチパネル制御手段は、例えば、タッチパネルへの入力に基づいて、画像処理装置に接続される周辺機器の動作を制御する周辺機器制御手段を有する。
【００１１】
周辺機器制御手段は、表示手段に表示される画像データの再現性を調節する表示調節手段を有していてもよく、また、電子スコープの操作部の操作ボタンに割当てられる機能を制御する操作ボタン制御手段を有していてもよい。
【００１２】
タッチパネル制御手段は、例えば、タッチパネルの操作に基づいて、表示手段に表示される画像の任意の領域を拡大表示させるズーミング指定手段を有する。
【発明の効果】
【００１３】
以上のように本発明によれば、画像処理装置の筐体のフロント部分にタッチパネルが設けられる。タッチパネルは使用者が指等で触れるだけで情報入力ができるため、操作が容易である。従って、表示手段を視認しながら行う操作において使用者の負担が軽減される。また、タッチパネルはバックライトと組合わせて用いられる機器であるため、照明を暗くした室内でもタッチパネルの表示が見にくくなることはない。
【発明を実施するための最良の形態】
【００１４】
図１は、本発明に係る実施形態が適用される電子内視鏡システムのシステム構成を概略的に示す図である。電子スコープ１０は、施術者が手で保持しながら各種操作を行う操作部１１と、患者の体内に挿入される可撓管である挿入部１２と、画像処理プロセッサ（画像処理装置）２０に接続される接続部１３とを有する。接続部１３は画像処理プロセッサ２０のフロント部２０Ｆに接続される。画像処理プロセッサ２０では電子スコープ１０により取得された画像に対し、所定の画像処理が施される。画像処理プロセッサ２０のフロント部２０Ｆにはタッチパネル２１が配設される。画像処理プロセッサ２０には所定のビデオ信号の規格に依拠して画像表示が行われるメインモニタ３０が接続される。
【００１５】
図２は、本発明に係る第１実施形態が適用される電子内視鏡システムのブロック図である。電子スコープ１０には多数の光ファイバーから成るライトガイド１４が挿通しており、ライトガイド１４は電子スコープ１０の挿入部１２の先端まで延びている。
【００１６】
画像処理プロセッサ２０の第１のＣＰＵ２２は、電子内視鏡システム全体をコントロールする例えばマイクロプロセッサである。光源部２３は、白色光を出射する例えばキセノンランプ等の光源と、この光源を点灯駆動するための光源駆動回路を有する。絞り機構２４は、光源部２３の出射光の光量を調節するための絞りと、この絞りを駆動する絞り駆動回路とを有する。絞りは、光源部２３の光源からの出射光の光路上に配設される。
【００１７】
電子スコープ１０の接続部１３を画像処理プロセッサ２０に接続すると、ライトガイド１４は、絞り機構２４を介して光源部２３の光源に光学的に接続される。使用者による光源点灯操作が行われると、第１のＣＰＵ２２からの制御信号に基づいて光源部２３の光源駆動回路から光源へ駆動信号が出力され、光源から白色光が出射される。また、第１のＣＰＵ２２からの制御信号に基づいて絞り機構２４の絞り駆動回路から絞りへ駆動信号が出力される。これにより光源部２３から出射される白色光は絞り機構２４で光量調節され、ライトガイド１４の入射端に入射する。入射した白色光はライトガイド１４により電子スコープ１０の挿入部１２の先端まで導かれ、配光光学系１７を介して被観察体に照明光として照射される。
【００１８】
被観察体からの反射光は対物光学系１５を介してＣＣＤ１６に入射し、ＣＣＤ１６の受光面に被観察体の光学像が結像される。接続部１３を画像処理プロセッサ２０に接続すると、接続部１３のＣＣＤ駆動回路１８は第１のＣＰＵ２２に接続される。第１のＣＰＵ２２からの制御信号に基づいてＣＣＤ駆動回路１８からＣＣＤ駆動信号が出力されると、ＣＣＤ１６では被観察体の光学像が光電変換され、アナログ画像信号が出力される。
【００１９】
ＣＣＤ１６から出力されたアナログ画像信号は接続部１３の信号処理回路１９でＡ／Ｄ変換等の前段の画像信号処理が施され、画像処理プロセッサ２０の信号処理部２５に入力される。信号処理部２５ではデジタル画像信号に増幅処理、ガンマ補正、輪郭強調等の所定の画像信号処理が施され、信号処理部２５に設けられた画像メモリ（図示せず）に画像データとして格納される。画像メモリ内の画像データは、適時読み出されて所定のビデオ信号の仕様に準拠したビデオ信号処理が施され、メインモニタ３０へ出力される。その結果、メインモニタ３０に被観察体像が表示される。
【００２０】
タッチパネル２１はバックライトとしてのＬＥＤ２８と組合わせて用いられる。ＬＥＤ２８からの出射光が照射されるとタッチパネル２１に表示される画像が視認できる。タッチパネル２１及びＬＥＤ２８は第２のＣＰＵ２６により制御される。第２のＣＰＵ２６は第１のＣＰＵ２２との間で各種情報の授受を行う。
【００２１】
補助記録装置（例えばハードディスク装置）２７にはタッチパネル２１に表示され操作者の入力を促進するための各種アイコンの画像データ、タッチパネル２１を制御するための各種プログラム等が格納されており、第２のＣＰＵ２６に接続されている。また、第２のＣＰＵ２６は信号処理部２５の画像メモリに接続されている。画像メモリ内の画像データは、第２のＣＰＵ２６の制御に基づいて読み出され、タッチパネル２１に出力される。従って、タッチパネル２１にも被観察体像の表示が可能となる。
【００２２】
このように、タッチパネル２１には、信号処理部２５の画像メモリに格納された被観察体の画像データと、補助記録装置２７に格納されたアイコン等の画像データが表示可能である。タッチパネル２１におけるこれらの画像データの表示の態様は、後述するように第２のＣＰＵ２６により制御される。
【００２３】
また、本実施形態において、被観察体の画像データは、メインモニタ３０及びタッチパネル２１において同期をとって表示可能である。第１のＣＰＵ２２の制御により信号処理部２５の画像メモリからメインモニタ３０に被観察体像の画像データが送られるのと同期をとって、第１のＣＰＵ２２から第２のＣＰＵ２６へ画像表示を指示する指令信号が出力される。この指令信号が入力されると、第２のＣＰＵ２６では画像メモリから画像データを読出し、タッチパネル２１に出力する。これにより、メインモニタ３０及びタッチパネル２１に被観察体像が同期をとって表示される。
【００２４】
図３は、タッチパネル２１にカラー表示されるメインメニューを示す図である。「ブライトネス」と表示された領域１０１には、メインモニタ３０の輝度レベルを調節するためのタッチパネルスイッチに対応したレベル調節アイコン１０１Ｕ、１０１Ｄ、調節された輝度のレベルを示すレベル表示アイコン１０１Ｌ等が表示される。
【００２５】
「カラーバランス」と表示された領域１０２には、「ブライトネス」表示領域１０１のレベル調節アイコン及びレベル表示アイコンと同様に、メインモニタ３０に表示される画像の各色成分を調節するための成分調節アイコン、調節された色成分のレベルを示すレベル表示アイコンが表示される。領域１０２の右側の成分調節アイコンとレベル表示アイコンのアイコンセット１０２Ｒは、赤色成分を調節するためのセットであり、赤色で表示される。また、領域１０２の左側の成分調節アイコンとレベル表示アイコンのアイコンセット１０２Ｂは、青色成分を調節するためのセットであり、青色で表示される。
【００２６】
このように、アイコンセット１０２Ｒ及び１０２Ｂは、それぞれ調節する色成分で表示される。すなわち、各アイコンセットに割当てられている機能が使用者に分かり易い態様で示されており、ユーザフレンドリーである。ここでは、緑色成分を基準として赤色成分及び青色成分の各アイコンセット１０２Ｒ、１０２Ｂを用いて各色成分を調節するようにしているが、更に、緑色成分を調節するためのアイコンセットを設けて、３色の各色成分を調節するようにしてもよい。
【００２７】
領域１０２の下には、「ポンプレベル」「弱」「中」「強」と書かれたアイコンセット１０３が表示される。「ポンプレベル」のアイコン１０３Ａは、電子スコープ１０の挿入部１２を介して患者の体内に送気送水するためのポンプ（図示せず）の送出圧レベルを「弱」→「中」→「強」と順次調節するためのタッチパネルスイッチに対応したアイコンであり、「弱」「中」「強」のアイコン１０３Ｂは調整された送出圧のレベルをそれぞれの明暗で示す。
【００２８】
領域１０１及び１０２、アイコンセット１０３のアイコンは、電子内視鏡システムの稼動中最もよく使用されるアイコンであるため、メインメニューに原則的に常に表示される。一方、メインメニューの下方に表示されるアイコン１０４Ａ、１０４Ｂ、１０４Ｃは、使用者によるカスタマイズが可能なアイコンである。このカスタマイズは、後述するように、「設定」と表示されるアイコン１０５をタッチすることにより行われる。
【００２９】
図３のメインメニューにおいて、現時点でアイコン１０４Ａに割当てられているのは「タッチパネル部機能設定」である。この状態でアイコン１０４Ａをタッチすると、タッチパネル２１から第２のＣＰＵ２６へ、「タッチパネル部機能設定」が選択されたことを示す入力信号が入力される。第２のＣＰＵ２６は、この入力信号に基づいて補助記録装置２７から「タッチパネル部機能設定」に対応するサブメニューの画像データを読出し、タッチパネル２１に出力する。その結果、図４に示すサブメニューがタッチパネル２１に表示される。
【００３０】
図４のサブメニューには、タッチパネル２１の輝度レベルを調節するためのアイコンセット２０１Ａ、タッチパネル２１に表示される文字情報の言語種別を「日本語」と「英語」の間で切り替えるためのアイコン２０１Ｂ、警告のビープ音のオン・オフを切り替えるためのアイコン２０１Ｃが表示される。
【００３１】
使用者によりアイコン２０１Ｂの「英語」の部分がタッチされると、タッチパネル２１から第２のＣＰＵ２６へ、言語表示を「英語」に切り替えることを示す信号が入力される。これに応じて、第２のＣＰＵ２６は、補助記録装置２７からタッチパネル２１に表示する画像データを読み出す際、文字が英語で標記された画像データを読出すよう制御する。従って、図５に示すようにメインメニューの言語表示部分も全て英語に切り替えられる。
【００３２】
このように、タッチパネル２１の操作で表示言語が設定されるため、各言語に対応したフロントパネルを作成する必要がなく経済的である。尚、本実施形態では選択できる言語は日本語と英語のみであるがこれに限るものではなく、より多くの言語を選択できる構成としてもよい。
【００３３】
また、図４のサブメニューの輝度調節アイコン及び調節された輝度レベルを示すレベル表示アイコンを有するアイコンセット２０１Ａにおいて、輝度調節アイコンが使用者によりタッチされると、その操作内容に応じた入力信号が第２のＣＰＵ２６に入力される。第２のＣＰＵ２６はその入力信号に応じた制御信号をＬＥＤ２８へ出力する。その結果、タッチパネル２１の輝度が使用者の希望に応じて調節される。
【００３４】
このようにタッチパネル２１の輝度が自由に調節できるため、照明を暗くした室内において、メインモニタ３０の画面を見づらくすることがない程度にタッチパネル２１の輝度を上げることができる。
【００３５】
ここで、図３のメインメニューに表示されるアイコン１０４Ａ、１０４Ｂ、１０４Ｃのカスタマイズ機能について説明する。アイコン１０５をタッチすると、その入力信号が第２のＣＰＵ２６へ入力される。それに応じて、第２のＣＰＵ２６は補助記録装置２７からアイコン１０４Ａ、１０４Ｂ、１０４Ｃにセット可能な機能を示すアイコンの画像データを読出し、タッチパネル２１に一覧表示する。この一覧表示の中からいずれかのアイコンがタッチされると、メインメニューは図６に示すセット位置選択状態となる。セット位置選択状態において、アイコン１０４Ａ、１０４Ｂ、１０４Ｃにはそれぞれ「Ａ」「Ｂ」「Ｃ」と表示され、これらのアイコン以外の領域はタッチされても機能しない非アクティブ状態とされる。この状態で使用者が例えばアイコン１０４Ａをタッチすると、選択された機能がアイコン１０４Ａに割当てられる。図７はこのカスタマイズ機能を使い、アイコン１０４Ａに「スコープボタン機能割当て」、アイコン１０４Ｂに「ズーミング」、アイコン１０４Ｃに「静止画キャプチャ」が割当てられた状態のメインメニューを示す。
【００３６】
以上のように、本実施形態によれば、タッチパネル２１における言語表示、輝度、アイコンの機能が使用者の好みで設定できる。従って、使用者にとって使い勝手のよいＧＵＩ（Graphic User Interface）を容易に構築することができる。
【００３７】
図７のメインメニューにおいてアイコン１０４Ａがタッチされると、「スコープボタン機能割当て」が選択されたことを示す信号が第２のＣＰＵ２６に入力される。第２のＣＰＵ２６はこの入力信号に基づいて、電子スコープ１０の型を選択するためのサブメニュー（図示せず）を補助記録装置２７から読出し、タッチパネル２１に表示する。このサブメニューで電子スコープ１０の型が選択されると、第２のＣＰＵ２６の制御により、図８に示すボタン選択画面の画像データが補助記録装置２７から読み出され、タッチパネル２１に表示される。ボタン選択画面には、選択された型の電子スコープ１０における操作部１１の概略拡大図とアイコン３０１Ａ、３０１Ｂが表示される。これらのアイコンは、操作部１１に設けられる各種操作ボタンのうち、割当てられる機能を使用者の意図で変更可能なスコープボタン１（１１Ａ）、スコープボタン２（１１Ｂ）の近傍にそれぞれ表示される。
【００３８】
図８のボタン選択画面でアイコン３０１Ａにタッチすると、第２のＣＰＵ２６の制御に基づいて、図９に示す機能割当て画面がタッチパネル２１に表示される。機能割当て画面のアイコン３１１はスコープボタン１が対象となっていることを示すアイコンであり、その横のアイコン３１２はスコープボタン１に現在割当てられている機能を示すアイコンである。図９の例ではアイコン３１２は「Ｎｏ  Ｏｐｅｒａｔｉｏｎ」と表示され、スコープボタン１は現在機能が割当てられていない状態、すなわち機能停止状態であることが表示されている。
【００３９】
スコープボタン１に割当てることが出来る機能は、その下のアイコン３１３Ａ、３１３Ｂ、及び３１３Ｃにより示される。図９の例では、動画の静止機能を示すアイコン３１３Ａ（「Ｎｏ  Ｏｐｅｒａｔｉｏｎ」）、静止画のコピー機能を示すアイコン３１３Ｂ（「Ｆｒｅｅｚｅ」）、及び機能停止を示すアイコン３１３Ｃ（「Ｃｏｐｙ」）が表示される。使用者によりいずれかのアイコンがタッチされると、タッチパネル２１から第２のＣＰＵ２６へそのアイコンが選択されたことを示す信号が入力され、対応した機能割当データが第２のＣＰＵ２６から第１のＣＰＵ２２へ伝送され、第１のＣＰＵ２２では伝送されてきたデータに基づいて対応する機能がスコープボタン１に割当てられる。
【００４０】
図７のメインメニューでアイコン１０４Ｂがタッチされと、「ズーミング」が選択されたことを示す信号が第２のＣＰＵ２６に入力される。第２のＣＰＵ２６はこの入力信号に基づいて、図１０に示すズーミング指定画面の元となる画像データを補助記録装置２７から読出し、タッチパネル２１に表示する。ズーム指定画面には、ズーム領域指定画面４０１と倍率を指定するためのアイコンセット４０２が表示される。ズーム領域指定画面４０１内には、ズーム領域を指定するためのポインタ４０３が表示されている。なお、デフォルトではポインタ４０３はズーム領域指定画面４０１の略中央に位置づけられている。
【００４１】
使用者によりズーム領域指定画面４０１の拡大表示を希望する領域に指等によりタッチされてポインタ４０３が位置づけられ、アイコンセット４０２の中から希望する倍率のアイコンがタッチされる。そして、「決定」と表示されたアイコン４０４がタッチされると、タッチパネル２１から第２のＣＰＵ２６へズーム領域及びズーム倍率を示すデータが入力される。これらのデータは第２のＣＰＵ２６から第１のＣＰＵ２２へ伝送される。第１のＣＰＵ２２では、伝送されてきたデータに基づいて、使用者がズーム領域指定画面でポインタを位置づけた領域に相当するメインモニタ３０の表示画面内の領域を示すデータと、選択されたズーム倍率で拡大表示することを指令する制御信号が作成される。このデータ及び制御信号は信号処理部２５に出力され、信号処理部２５で所定の拡大処理が実行されると、メインモニタ３０に表示される被観察体像が拡大表示される。
【００４２】
図７のメインメニューでアイコン１０４Ｃがタッチされると、タッチパネル２１から第２のＣＰＵ２６へ「静止画キャプチャ」が選択されたことを示す信号が入力される。この信号は、第２のＣＰＵ２６から第１のＣＰＵ２２へ伝送される。その結果、第１のＣＰＵ２２の制御に基づいて信号処理部２５で静止画の映像信号が生成され、メインモニタ３０及び第２のＣＰＵ２６を介してタッチパネル２１に出力される。これにより、メインモニタ３０の画面上及びタッチパネル２１の略全面（図１１）にそれぞれ静止画が表示される。なお、静止画の映像信号の生成については公知なのでここでは詳しい説明を省略する。
【００４３】
更に、第２のＣＰＵ２６の制御に基づいて、図１１に示すマーキング画面が補助記録装置２７から読み出され、タッチパネル２１に静止画と共に表示される。マーキング画面は、静止画が表示される静止画領域５０１と、静止画に施すマーキングに関するアイコンセット５０２、５０３等が表示される。静止画領域５０１には、メインモニタ３０に表示中の静止画と同一の静止画が表示される。
【００４４】
指やタッチパネル専用のスタイラスペン等でタッチパネル２１上をなぞると、タッチパネル２１から第２のＣＰＵ２６へマーキングの軌跡のデータが伝送される。第２のＣＰＵ２６では、軌跡データに、マーキングに関するアイコンセット５０２、５０３等と共に信号処理部２５から伝送されてきた静止画の映像信号が重畳され、タッチパネル２１に出力される。
【００４５】
アイコンセット５０２は、静止画像の色と区別できるようマーキングの色を選択するための複数のアイコンと表示されるマーキングの描線の太さを選択するための複数のアイコンから成る。これら選択された色と描線の太さはアイコンセット５０３に表示される。
【００４６】
その他、「再描画」と表示されるアイコン５０４Ａがタッチされると、描画されたマーキングを画面上から消去し、再度描画可能な状態にする処理が実行される。「保存」と表示されるアイコン５０４Ｂがタッチされると、静止画像をマーキングと共に補助記録装置２７等に保存する処理が実行される。「戻る」と表示されるアイコン５０４Ｃがタッチされると、静止画表示状態にする直前の表示状態に戻す処理が実行される。なお、このマーキング機能は、例えば、静止画において病変部位等が明示された状態で表示・保存するために用いられる。
【００４７】
以上のように、第１実施形態によれば、画像処理プロセッサ２０のフロント部２０Ｆに設けられたタッチパネル２１をタッチすることにより、メインモニタ３０の画像表示の調節や、静止画のコピー、電子スコープ１０の操作部１１のカスタマイズ等が可能である。従って、これらの各種操作が容易である。また、タッチパネル２１自体の表示も使用者の好みに併せてカスタマイズできるため、ユーザフレンドリーな操作性を提供することができる。
【００４８】
図１２は、本発明に係る第２実施形態が適用される電子内視鏡システムのブロック図である。第２実施形態が第１実施形態と異なるのは、画像処理プロセッサ１２０とこれに接続されたＸ線画像装置４０である。これ以外の構成は第１の実施形態と同様なので説明は省略する。
【００４９】
第２実施形態の電子内視鏡システムは、施術において電子スコープ１０によって取得された被観察体像をメインモニタ３０に表示すると共に、Ｘ線画像装置４０により体外からＸ線を照射して電子スコープ１０先端の位置周辺の画像を取得することができる。Ｘ線画像装置４０により得られた電子スコープ１０先端の位置周辺の画像の映像信号（以後、Ｘ線映像信号とする）は、外部からの映像信号を受信可能な画像処理プロセッサ１２０の信号処理部１２５に入力される。
【００５０】
図３のタッチパネル２１に表示されるメニューを示す図において、１０４Ａ〜１０４Ｃのいずれかのアイコンに「外部画像」が割り当てられた状態で、そのアイコンをタッチすると、タッチパネル２１から第２のＣＰＵ１２６を介して第１のＣＰＵ１２２へ、「外部画像」が選択されたことを示す入力信号が入力される。これに応じて、Ｘ線映像信号は、第１のＣＰＵ１２２の制御に基づいて信号処理部１２５から第２のＣＰＵ１２６へ伝送され、第２のＣＰＵ１２６にて所定の信号処理の後、タッチパネル２１に伝送され、タッチパネル２１上に図１１と同様な様態でＸ線映像が表示される。
【００５１】
以上のように、第２実施形態によれば、第１実施形態と同様の効果が得られるだけでなく、メインモニタ３０以外にＸ線映像表示用のサブモニタを設ける必要が無く、コストの面で有利である。
【００５２】
なお、第２の実施形態の電子内視鏡システムではＸ線画像装置４０を画像処理プロセッサ１２０に接続するとしたが、これに限らず、例えば、印刷のプレビュー画像信号を出力可能なビデオプリンタを画像処理プロセッサ１２０に接続した電子内視鏡システムにも適用可能である。
【図面の簡単な説明】
【００５３】
【図１】本発明に係る第１実施形態が適用される電子内視鏡システムのシステム構成を概略的に示す図である。
【図２】第１実施形態の電子内視鏡システムのブロック図である。
【図３】タッチパネルに表示される日本語のメインメニューである。
【図４】タッチパネルの表示言語と輝度を調節するためのサブメニューである。
【図５】タッチパネルに表示される英語のメインメニューである。
【図６】メインメニューにおいてアイコンにセット可能な機能が選択された後、当該機能をセットするアイコンを選択するための画面である。
【図７】メインメニューのアイコンがカスタマイズされた一例を示す図である。
【図８】電子スコープの操作部において、機能を割当てるボタンを選択するための画面である。
【図９】電子スコープの操作部において選択されたボタンに機能を割当てるための画面である。
【図１０】メインモニタに表示される画像のズームを指定するための画面である。
【図１１】メインモニタに表示されている静止画と同一の静止画にマーキングするための画面である。
【図１２】本願発明に係る第２実施形態が適用される電子内視鏡システムのブロック図である。
【符号の説明】
【００５４】
１０  電子スコープ
１１  操作部
２０、１２０  画像処理プロセッサ
２２、１２２  第１のＣＰＵ
２６、１２６  第２のＣＰＵ
３０  メインモニタ
【図１】
0004814496.tif 000002
【図２】
0004814496.tif 000003
【図３】
0004814496.tif 000004
【図４】
0004814496.tif 000005
【図５】
0004814496.tif 000006
【図６】
0004814496.tif 000007
【図７】
0004814496.tif 000008
【図８】
0004814496.tif 000009
【図９】
0004814496.tif 000010
【図１０】
0004814496.tif 000011
【図１１】
0004814496.tif 000012
【図１２】
0004814496.tif 000013